(57)【要約】  【課題】  携帯電話機が通信を行っている場合に、テレビジョン放送の受信品質が劣化することによる使用者の不快感を低減することができる携帯電話機を提供する。  【解決手段】  アナログテレビジョン放送の周波数帯域と近接した周波数帯で通信を行う８００ＭＨｚ帯受信部６および８００ＭＨｚ帯送信部１０と、アナログテレビジョン放送を受信するアナログテレビジョン放送受信部２２と、８００ＭＨｚ帯受信部６および８００ＭＨｚ帯送信部１０が通信を行っている場合には、アナログテレビジョン放送を受信しないようにアナログテレビジョン放送受信部２２を制御する制御部１１とを備える。【選択図】  図１
2007019736.tif 000002
【特許請求の範囲】
【請求項１】
アナログテレビジョン放送の周波数帯域と近接した近接周波数帯で通信を行う近接周波数帯通信部と、
前記アナログテレビジョン放送を受信するアナログテレビジョン放送受信部と、
前記近接周波数帯通信部が通信を行っている場合には、前記アナログテレビジョン放送を受信しないように前記アナログテレビジョン放送受信部を制御する制御部とを備えたことを特徴とする携帯電話機。
【請求項２】
アナログテレビジョン放送の周波数帯域と近接した近接周波数帯で通信を行う近接周波数帯通信部と、
前記アナログテレビジョン放送を受信するアナログテレビジョン放送受信部と、
前記近接周波数帯通信部が通信を行い、かつ、前記近接周波数帯通信部の送信出力値が一定値以上となった場合に、前記アナログテレビジョンを受信しないように前記アナログテレビジョン放送受信部を制御する制御部とを備えたことを特徴とする携帯電話機。
【請求項３】
前記近接周波数帯と近接しない周波数帯域を使用するデジタルテレビジョン放送を受信するデジタルテレビジョン放送受信部を備え、
前記制御部は、前記アナログテレビジョン放送を受信しないように前記アナログテレビジョン放送受信部を制御した時に、前記デジタルテレビジョン放送を受信するように前記デジタルテレビジョン放送受信部を制御することを特徴とする請求項１または請求項２に記載の携帯電話機。
【請求項４】
アナログテレビジョン放送の周波数帯域と近接した近接周波数帯で通信を行う近接周波数帯通信部と、
前記アナログテレビジョン放送を受信するアナログテレビジョン放送受信部と、
前記近接周波数帯通信部が通信を行っている場合には、前記アナログテレビジョン放送のうちＵＨＦ帯を使用する放送を受信しないように前記アナログテレビジョン放送受信部を制御する制御部とを備えたことを特徴とする携帯電話機。
【請求項５】
アナログテレビジョン放送の周波数帯域と近接した近接周波数帯で通信を行う近接周波数帯通信部と、
前記アナログテレビジョン放送を受信するアナログテレビジョン放送受信部と、
前記近接周波数帯通信部が通信を行い、かつ、前記近接周波数帯通信部の送信出力値が一定値以上となった場合に、前記アナログテレビジョン放送のうちＵＨＦ帯を使用する放送を受信しないように前記アナログテレビジョン放送受信部を制御する制御部とを備えたことを特徴とする携帯電話機。
【請求項６】
前記近接周波数帯と近接しない周波数帯域を使用するデジタルテレビジョン放送を受信するデジタルテレビジョン放送受信部を備え、
前記制御部は、前記アナログテレビジョン放送のうちＵＨＦ帯を使用する放送を受信しないように前記アナログテレビジョン放送受信部を制御した時に、前記アナログテレビジョン放送のうちＵＨＦ帯を使用しない放送と前記デジタルテレビジョン放送の何れか一方を受信するように前記アナログテレビジョン放送受信部および前記デジタルテレビジョン放送受信部を制御することを特徴とする請求項４または請求項５に記載の携帯電話機。
【請求項７】
アナログテレビジョン放送の周波数帯域と近接した近接周波数帯で通信を行う近接周波数帯通信部と、
前記アナログテレビジョン放送を受信するアナログテレビジョン放送受信部と、
前記近接周波数帯通信部が通信を行っている場合には、前記アナログテレビジョン放送のうちＵＨＦ帯の一部を使用する放送を受信しないように前記アナログテレビジョン放送受信部を制御する制御部とを備えたことを特徴とする携帯電話機。
【請求項８】
アナログテレビジョン放送の周波数帯域と近接した近接周波数帯で通信を行う近接周波数帯通信部と、
前記アナログテレビジョン放送を受信するアナログテレビジョン放送受信部と、
前記近接周波数帯通信部が通信を行い、かつ、前記近接周波数帯通信部の送信出力値が一定値以上となった場合に、前記アナログテレビジョン放送のうちＵＨＦ帯の一部を使用する放送を受信しないように前記アナログテレビジョン放送受信部を制御する制御部とを備えたことを特徴とする携帯電話機。
【請求項９】
前記近接周波数帯と近接しない周波数帯域を使用するデジタルテレビジョン放送を受信するデジタルテレビジョン放送受信部を備え、
前記制御部は、前記アナログテレビジョン放送のうちＵＨＦ帯の一部を使用する放送を受信しないように前記アナログテレビジョン放送受信部を制御した時に、前記アナログテレビジョン放送のうちＵＨＦ帯の一部以外を使用する放送と前記デジタルテレビジョン放送の何れか一方を受信するように前記アナログテレビジョン放送受信部および前記デジタルテレビジョン放送受信部を制御することを特徴とする請求項７または請求項８に記載の携帯電話機。
【請求項１０】
アナログテレビジョン放送の周波数帯域と近接しない非近接周波数帯で通信を行う非近接周波数帯通信部と、
通信を行うために前記近接周波数帯通信部と前記非近接周波数帯通信部の何れか一方を選択する通信部選択手段とを備え、
前記通信部選択手段は、使用者による事前の設定に基づいて選択することを特徴とする請求項１乃至請求項９の何れかに記載の携帯電話機。
【請求項１１】
アナログテレビジョン放送の周波数帯域と近接しない非近接周波数帯で通信を行う非近接周波数帯通信部と、
通信を行うために前記近接周波数帯通信部と前記非近接周波数帯通信部の何れか一方を選択する通信部選択手段とを備え、
前記通信部選択手段は、使用者による入力に基づいて選択することを特徴とする請求項１乃至請求項９の何れかに記載の携帯電話機。
【請求項１２】
アナログテレビジョン放送の周波数帯域と近接しない非近接周波数帯で通信を行う非近接周波数帯通信部を備え、
前記制御部は、前記アナログテレビジョン放送受信部が前記アナログテレビジョン放送を受信している時に、前記非近接周波数帯通信部の受信レベルが一定値以下になった場合には、前記デジタルテレビジョン放送を受信するように前記デジタルテレビジョン放送受信部を制御することを特徴とする請求項３、６、９の何れかに記載の携帯電話機。
【発明の詳細な説明】
【技術分野】
【０００１】
本発明は、デジタルテレビジョン放送およびアナログテレビジョン放送受信機能を備え、２つ以上の周波数帯で通信を行う携帯電話機に関する。
【背景技術】
【０００２】
従来、デジタルテレビジョンとアナログテレビジョンの両放送に対応したテレビジョン放送受信機としては、デジタルテレビジョン放送の受信誤り率に基づいて、同内容のデジタルテレビジョン放送とアナログテレビジョン放送とを自動的に切り替えることにより、テレビジョン放送の受信品質の劣化を防止するものが知られている（例えば、特許文献１参照）。
【０００３】
また、デジタルテレビジョン放送波に重畳された情報、テレビジョン放送受信機に内蔵された地域毎のチャンネルマップ、映像信号および音声信号の相関度等に基づいて、視聴中のデジタルテレビジョン放送とアナログテレビジョン放送の内容が同じになるようにアナログテレビジョン放送のチャンネルを設定し、デジタルテレビジョン放送の受信誤り率に基づいて、同内容のデジタルテレビジョン放送とアナログテレビジョン放送とを自動的に切り替えるものが知られている（例えば、特許文献２および３参照）。
【０００４】
また、デジタルテレビジョン放送の受信誤り率に基づいて、同内容のデジタルテレビジョン放送とアナログテレビジョン放送とを自動的に切り替え、さらに、デジタルテレビジョン放送波の受信状況に応じてアナログテレビジョン放送受信部の電源制御を行うものが知られている（例えば、特許文献４参照）。
【特許文献１】特許第２６４１１４８号公報
【特許文献２】特許第３５８３９６３号公報
【特許文献３】特開２０００−３３２６３２号公報
【特許文献４】特開２００４−２２１８０３号公報
【発明の開示】
【発明が解決しようとする課題】
【０００５】
一方、テレビジョン放送の周波数帯域は、ＶＨＦ帯の１ｃｈ〜１２ｃｈで９０〜２２０ＭＨｚ、ＵＨＦ帯の１３ｃｈ〜６２ｃｈで４７０〜７７０ＭＨｚとなっており、ＰＤＣ、Ｗ−ＣＤＭＡ、およびｃｄｍａ２０００等の移動通信方式で使用される８００ＭＨｚ帯の周波数と近接する。したがって、これらの方式の携帯電話機に特許文献１から４に記載されているような構成のテレビジョン放送受信機を内蔵させて、この携帯電話機でＵＨＦ帯のチャンネルの放送を視聴する時に、携帯電話機が通信を行っている場合には、テレビジョン放送の受信品質が劣化するため、使用者に不快感を与えてしまうという問題があった。
【０００６】
また、現在、アナログテレビジョン放送では、難視聴地域対策およびデジタルテレビジョン放送開始に向けた一部の地域での放送周波数の変更により、ＵＨＦ帯の最も高い周波数である６２ｃｈ（７６４〜７７０ＭＨｚ）での放送を行っている地区が存在する一方で、デジタルテレビジョン放送については、１３ｃｈ（４７０〜４７６ＭＨｚ）〜５２ｃｈ（７０４〜７１０ＭＨｚ）での放送が予定されている。したがって、アナログテレビジョン放送の周波数帯域が、デジタルテレビジョン放送の周波数帯域より８００ＭＨｚ帯の携帯電話が使用する周波数帯に近接しているため、携帯電話機が通信を行っている場合に、特にアナログテレビジョン放送の受信品質の劣化が発生しやすくなる。
【０００７】
本発明は、従来の問題を解決するためになされたもので、携帯電話機が通信を行っている場合に、テレビジョン放送の受信品質が劣化することによる使用者の不快感を低減することができる携帯電話機を提供することを目的とする。
【課題を解決するための手段】
【０００８】
本発明の携帯電話機は、アナログテレビジョン放送の周波数帯域と近接した近接周波数帯で通信を行う近接周波数帯通信部と、前記アナログテレビジョン放送を受信するアナログテレビジョン放送受信部と、前記近接周波数帯通信部が通信を行っている場合には、前記アナログテレビジョン放送を受信しないように前記アナログテレビジョン放送受信部を制御する制御部とを備えた構成を有している。
【０００９】
この構成により、アナログテレビジョン放送の周波数帯域と近接した近接周波数帯で通信を行う近接周波数帯通信部が通信を行っている場合には、アナログテレビジョン放送を受信しないようにできる。このため、携帯電話機が通信を行っている場合に、テレビジョン放送の受信品質が劣化することによる使用者の不快感を低減することができる。
【００１０】
また、本発明の携帯電話機は、アナログテレビジョン放送の周波数帯域と近接した近接周波数帯で通信を行う近接周波数帯通信部と、前記アナログテレビジョン放送を受信するアナログテレビジョン放送受信部と、前記近接周波数帯通信部が通信を行い、かつ、前記近接周波数帯通信部の送信出力値が一定値以上となった場合に、前記アナログテレビジョンを受信しないように前記アナログテレビジョン放送受信部を制御する制御部とを備えた構成を有している。
【００１１】
この構成により、アナログテレビジョン放送の周波数帯域と近接した近接周波数帯で通信を行う近接周波数帯通信部が通信を行い、かつ、近接周波数帯通信部の送信出力値が一定値以上となった場合に、アナログテレビジョン放送を受信しないようにできる。このため、携帯電話機が通信を行っている場合に、テレビジョン放送の受信品質が劣化することによる使用者の不快感を低減することができる。さらに、アナログテレビジョン放送の視聴できる機会を増やすことができる。
【００１２】
また、本発明の携帯電話機は、前記近接周波数帯と近接しない周波数帯域を使用するデジタルテレビジョン放送を受信するデジタルテレビジョン放送受信部を備え、前記制御部は、前記アナログテレビジョン放送を受信しないように前記アナログテレビジョン放送受信部を制御した時に、前記デジタルテレビジョン放送を受信するように前記デジタルテレビジョン放送受信部を制御する構成を有している。
【００１３】
この構成により、アナログテレビジョン放送を受信しないようにした時に、デジタルテレビジョン放送を受信するようにできる。このため、携帯電話機が通信を行っている場合に、テレビジョン放送の受信品質が劣化することを防止することができる。
【００１４】
また、本発明の携帯電話機は、アナログテレビジョン放送の周波数帯域と近接した近接周波数帯で通信を行う近接周波数帯通信部と、前記アナログテレビジョン放送を受信するアナログテレビジョン放送受信部と、前記近接周波数帯通信部が通信を行っている場合には、前記アナログテレビジョン放送のうちＵＨＦ帯を使用する放送を受信しないように前記アナログテレビジョン放送受信部を制御する制御部とを備えた構成を有している。
【００１５】
この構成により、アナログテレビジョン放送の周波数帯域と近接した近接周波数帯で通信を行う近接周波数帯通信部が通信を行っている場合には、アナログテレビジョン放送のうちＵＨＦ帯を使用する放送を受信しないようにできる。このため、携帯電話機が通信を行っている場合に、テレビジョン放送の受信品質が劣化することによる使用者の不快感を低減することができる。さらに、アナログテレビジョン放送の視聴できる機会を増やすことができる。
【００１６】
また、本発明の携帯電話機は、アナログテレビジョン放送の周波数帯域と近接した近接周波数帯で通信を行う近接周波数帯通信部と、前記アナログテレビジョン放送を受信するアナログテレビジョン放送受信部と、前記近接周波数帯通信部が通信を行い、かつ、前記近接周波数帯通信部の送信出力値が一定値以上となった場合に、前記アナログテレビジョン放送のうちＵＨＦ帯を使用する放送を受信しないように前記アナログテレビジョン放送受信部を制御する構成を有している。
【００１７】
この構成により、アナログテレビジョン放送の周波数帯域と近接した近接周波数帯で通信を行う近接周波数帯通信部が通信を行い、かつ、近接周波数帯通信部の送信出力値が一定値以上となった場合に、アナログテレビジョン放送のうちＵＨＦ帯を使用する放送を受信しないようにできる。このため、携帯電話機が通信を行っている場合に、テレビジョン放送の受信品質が劣化することによる使用者の不快感を低減することができる。さらに、アナログテレビジョン放送の視聴できる機会を増やすことができる。
【００１８】
また、本発明の携帯電話機は、前記近接周波数帯と近接しない周波数帯域を使用するデジタルテレビジョン放送を受信するデジタルテレビジョン放送受信部を備え、前記制御部は、前記アナログテレビジョン放送のうちＵＨＦ帯を使用する放送を受信しないように前記アナログテレビジョン放送受信部を制御した時に、前記アナログテレビジョン放送のうちＵＨＦ帯を使用しない放送と前記デジタルテレビジョン放送の何れか一方を受信するように前記アナログテレビジョン放送受信部および前記デジタルテレビジョン放送受信部を制御する構成を有している。
【００１９】
この構成により、アナログテレビジョン放送を受信しないようにした時に、アナログテレビジョン放送のうちＵＨＦ帯を使用しない放送、またはデジタルテレビジョン放送を受信するようにできる。このため、携帯電話機が通信を行っている場合に、テレビジョン放送の受信品質が劣化することを防止することができる。
【００２０】
また、本発明の携帯電話機は、アナログテレビジョン放送の周波数帯域と近接した近接周波数帯で通信を行う近接周波数帯通信部と、前記アナログテレビジョン放送を受信するアナログテレビジョン放送受信部と、前記近接周波数帯通信部が通信を行っている場合には、前記アナログテレビジョン放送のうちＵＨＦ帯の一部を使用する放送を受信しないように前記アナログテレビジョン放送受信部を制御する制御部とを備えた構成を有している。
【００２１】
この構成により、アナログテレビジョン放送の周波数帯域と近接した近接周波数帯で通信を行う近接周波数帯通信部が通信を行っている場合には、アナログテレビジョン放送のうちＵＨＦ帯の一部を使用する放送を受信しないようにできる。このため、携帯電話機が通信を行っている場合に、テレビジョン放送の受信品質が劣化することによる使用者の不快感を低減することができる。さらに、アナログテレビジョン放送の視聴できる機会を増やすことができる。
【００２２】
また、本発明の携帯電話機は、アナログテレビジョン放送の周波数帯域と近接した近接周波数帯で通信を行う近接周波数帯通信部と、前記アナログテレビジョン放送を受信するアナログテレビジョン放送受信部と、前記近接周波数帯通信部が通信を行い、かつ、前記近接周波数帯通信部の送信出力値が一定値以上となった場合に、前記アナログテレビジョン放送のうちＵＨＦ帯の一部を使用する放送を受信しないように前記アナログテレビジョン放送受信部を制御する制御部とを備えた構成を有している。
【００２３】
この構成により、アナログテレビジョン放送の周波数帯域と近接した近接周波数帯で通信を行う近接周波数帯通信部が通信を行い、かつ、近接周波数帯通信部の送信出力値が一定値以上となった場合に、アナログテレビジョン放送のうちＵＨＦ帯の一部を使用する放送を受信しないようにできる。このため、携帯電話機が通信を行っている場合に、テレビジョン放送の受信品質が劣化することによる使用者の不快感を低減することができる。さらに、アナログテレビジョン放送の視聴できる機会を増やすことができる。
【００２４】
また、本発明の携帯電話機は、前記近接周波数帯と近接しない周波数帯域を使用するデジタルテレビジョン放送を受信するデジタルテレビジョン放送受信部を備え、前記制御部は、前記アナログテレビジョン放送のうちＵＨＦ帯の一部を使用する放送を受信しないように前記アナログテレビジョン放送受信部を制御した時に、前記アナログテレビジョン放送のうちＵＨＦ帯の一部以外を使用する放送と前記デジタルテレビジョン放送の何れか一方を受信するように前記アナログテレビジョン放送受信部および前記デジタルテレビジョン放送受信部を制御する構成を有している。
【００２５】
この構成により、アナログテレビジョン放送を受信しないようにした時に、アナログテレビジョン放送のうちＵＨＦ帯の一部以外を使用する放送、またはデジタルテレビジョン放送を受信するようにできる。このため、携帯電話機が通信を行っている場合に、テレビジョン放送の受信品質が劣化することを防止することができる。
【００２６】
また、本発明の携帯電話機は、アナログテレビジョン放送の周波数帯域と近接しない非近接周波数帯で通信を行う非近接周波数帯通信部と、通信を行うために前記近接周波数帯通信部と前記非近接周波数帯通信部の何れか一方を選択する通信部選択手段とを備え、前記通信部選択手段は、使用者による事前の設定に基づいて選択する構成を有している。
【００２７】
この構成により、携帯電話機の使用者の判断によってアナログテレビジョン放送の受信品質と携帯電話の通信品質のどちらを重視するかを決定することができる。
【００２８】
また、本発明の携帯電話機は、アナログテレビジョン放送の周波数帯域と近接しない非近接周波数帯で通信を行う非近接周波数帯通信部と、通信を行うために前記近接周波数帯通信部と前記非近接周波数帯通信部の何れか一方を選択する通信部選択手段とを備え、前記通信部選択手段は、使用者による入力に基づいて選択する構成を有している。
【００２９】
この構成により、携帯電話機の使用者の判断によってアナログテレビジョン放送の受信品質と携帯電話の通信品質のどちらを重視するかを決定することができる。
【００３０】
また、本発明の携帯電話機は、アナログテレビジョン放送の周波数帯域と近接しない非近接周波数帯で通信を行う非近接周波数帯通信部を備え、前記制御部は、前記アナログテレビジョン放送受信部が前記アナログテレビジョン放送を受信している時に、前記非近接周波数帯通信部の受信レベルが一定値以下になった場合には、前記デジタルテレビジョン放送を受信するように前記デジタルテレビジョン放送受信部を制御する構成を有している。
【００３１】
この構成により、アナログテレビジョン放送を受信している時に、アナログテレビジョン放送の周波数帯域と近接しない非近接周波数帯で通信を行う非近接周波数帯通信部の受信レベルが一定値以下になった場合には、デジタルテレビジョン放送を受信するようにできる。このため、携帯電話機が通信を行っている場合に、テレビジョン放送の受信品質が劣化することを防止することができる。さらに、携帯電話機が圏外となる可能性を最小限に抑えることができる。
【発明の効果】
【００３２】
本発明は、携帯電話機が通信を行っている場合に、テレビジョン放送の受信品質が劣化することによる使用者の不快感を低減することができるという効果を有する携帯電話機を提供することができるものである。
【発明を実施するための最良の形態】
【００３３】
以下、本発明の実施の形態の携帯電話機について、図面を参照して説明する。
【００３４】
（第１の実施の形態）
本発明の第１の実施の形態の携帯電話機を図１に示す。
【００３５】
図１に示すように、携帯電話機１は、アンテナ２、共用器３、携帯電話送受信部４、アンテナ１６、分波器１７、デジタルテレビジョン放送受信部１８、アナログテレビジョン放送受信部２２、音声再生部１２、表示部１３、キー入力部１４、音声入力部１５、制御部１１を有する構成である。
【００３６】
アンテナ２は、携帯電話機１の内部または表面に設けられ、基地局から携帯電話受信波を受信し、共用器３を経由して携帯電話送受信部４に出力するようになっている。また、アンテナ２は、携帯電話送受信部４から共用器３を経由して入力された携帯電話送信波を基地局に送信するようになっている。
【００３７】
携帯電話送受信部４は、２ＧＨｚ帯受信部５、８００ＭＨｚ帯受信部６、復調部７、変調部８、２ＧＨｚ帯送信部９、８００ＭＨｚ帯送信部１０とを有する構成である。
【００３８】
２ＧＨｚ帯受信部５は、２ＧＨｚ帯を使用して通信を行う場合に、アンテナ２から共用器３を経由して入力された携帯電話受信波を受信デジタルベースバンド信号に変換して復調部７に出力するようになっている。なお、２ＧＨｚ帯受信部５は、本発明における非近接周波数帯通信部を構成する。
【００３９】
８００ＭＨｚ帯受信部６は、８００ＭＨｚ帯を使用して通信を行う場合に、アンテナ２から共用器３を経由して入力された携帯電話受信波を受信デジタルベースバンド信号に変換して復調部７に出力するようになっている。なお、８００ＭＨｚ帯受信部６は、本発明における近接周波数帯通信部を構成する。
【００４０】
復調部７は、２ＧＨｚ帯受信部５および８００ＭＨｚ帯受信部６から入力された受信デジタルベースバンド信号を、音声通信時は音声信号に、データ通信時はデータ信号に変換し、制御部１１に出力するようになっている。
【００４１】
変調部８は、制御部１１から入力された音声信号およびデータ信号を送信デジタルベースバンド信号に変換し、２ＧＨｚ帯送信部９または８００ＭＨｚ帯送信部１０に出力するようになっている。
【００４２】
２ＧＨｚ帯送信部９は、変調部８から入力された送信デジタルベースバンド信号を共用器３を経由してアンテナ２に出力するようになっている。なお、２ＧＨｚ帯送信部９は、本発明における非近接周波数帯通信部を構成する。
【００４３】
８００ＭＨｚ帯送信部１０は、変調部８から入力された送信デジタルベースバンド信号を共用器３を経由してアンテナ２に出力するようになっている。なお、８００ＭＨｚ帯送信部１０は、本発明における近接周波数帯通信部を構成する。
【００４４】
アンテナ１６は、携帯電話機１の内部または表面に設けられ、デジタルテレビジョン放送波およびアナログテレビジョン放送波を受信し、分波器１７に出力するようになっている。
【００４５】
分波器１７は、アンテナ１６によって受信されたデジタルテレビジョン放送波およびアナログテレビジョン放送波を分波し、デジタルテレビジョン放送受信部１８またはアナログテレビジョン放送受信部２２に出力するようになっている。
【００４６】
デジタルテレビジョン放送受信部１８は、受信部１９、同期部２０、復調部２１を有する構成である。
【００４７】
受信部１９は、アンテナ１６から分波器１７を経由して入力されたデジタルテレビジョン放送波をデジタルベースバンド信号に変換して同期部２０および復調部２１に出力するようになっている。
【００４８】
同期部２０は、受信部１９によってデジタルベースバンド信号に変換されたデジタルテレビジョン放送波から信号ギャップ区間および同期シンボルを検出して、同期信号を制御部１１および復調部２１に出力するようになっている。
【００４９】
復調部２１は、同期部２０から入力された同期信号に基づいて、受信部１９によってデジタルベースバンド信号に変換されたデジタルテレビジョン放送波を復調し、誤り訂正処理を行った上で映像信号および音声信号に変換して制御部１１に出力するようになっている。
【００５０】
アナログテレビジョン放送受信部２２は、受信部２３、復調部２４を有する構成である。
【００５１】
受信部２３は、アンテナ１６から分波器１７を経由して入力されたアナログテレビジョン放送波をベースバンド信号に変換して、復調部２４に出力するようになっている。
【００５２】
復調部２４は、受信部２３によってベースバンド信号に変換されたアナログテレビジョン放送波を映像信号および音声信号に変換して制御部１１に出力するようになっている。
【００５３】
音声再生部１２は、制御部１１から入力された音声信号に基づいて音声を再生するようになっている。音声再生部１２は、例えばスピーカーやイヤホンといった素子で構成される音声出力装置である。
【００５４】
表示部１３は、制御部１１から入力された映像信号に基づいて映像を表示するようになっている。表示部１３は、例えば、液晶や有機ＥＬといった素子で構成される映像表示装置である。
【００５５】
キー入力部１４は、携帯電話機１の使用者に携帯電話機１の操作内容を入力させ、携帯電話機１の操作内容を表すキー入力信号を制御部１１に出力するようになっている。キー入力部１４は、例えば、キーパッドやジョイスティック、ホイールパッドといった素子で構成される入力装置である。
【００５６】
音声入力部１５は、携帯電話機１の使用者によって入力された音声信号を制御部１１に出力するようになっている。音声入力部１５は、例えば、マイクといった素子で構成される音声入力装置である。
【００５７】
制御部１１は、復調部２１および復調部２４から入力された映像信号を表示部１３に出力し、表示部１３に映像を表示させるようになっている。また、制御部１１は、復調部２１および復調部２４から入力された音声信号を音声再生部１２に出力し、音声再生部１２に音声を再生させるようになっている。また、制御部１１は、キー入力部１４から入力されたキー入力信号に基づいて携帯電話機１の動作を制御するようになっている。また、制御部１１は、例えば、ＣＰＵによって構成されている。なお、制御部１１は、本発明の通信部選択手段を構成する。
【００５８】
以上のように構成された携帯電話機１について、携帯電話モードからアナログテレビジョン視聴モードへ切り替える場合の動作と、デジタルテレビジョン視聴モード中にデジタルテレビジョン放送の受信品質が劣化した場合の動作を説明する。
【００５９】
まず、携帯電話モードからアナログテレビジョン視聴モードへ切り替える場合の動作を図２に示すフローチャートを用いて説明する。
【００６０】
携帯電話モード（ステップＳ１０１）は、待受け、通話、データ通信といった携帯電話機能のみが動作しているモードであり、デジタルテレビジョン放送受信部１８およびアナログテレビジョン放送受信部２２の電源はＯＦＦに設定されている。この状態から、携帯電話機１の使用者がキー入力部１４を操作することによってアナログテレビジョン視聴モードが選択されると（ステップＳ１０２）、制御部１１は、携帯電話送受信部４が２ＧＨｚ帯受信部５および２ＧＨｚ帯送信部９と、８００ＭＨｚ帯受信部６および８００ＭＨｚ帯送信部１０のどちらを使用して通信を行っているかを判定する（ステップＳ１０３）。
【００６１】
制御部１１は、携帯電話送受信部４が２ＧＨｚ帯受信部５および２ＧＨｚ帯送信部９を使用して通信を行っていると判定した場合、アナログテレビジョン放送受信部２２の電源ＯＮに変更してアナログテレビジョン放送のチャンネルサーチを実施し（ステップＳ１０４）、アナログテレビジョン放送が視聴可能であるか否かを判定する（ステップＳ１０５）。制御部１１は、アナログテレビジョン放送が視聴可能であると判定した場合には、アナログテレビジョン視聴モードに移行させる（ステップＳ１０６）。
【００６２】
一方、ステップＳ１０３において、制御部１１は、携帯電話送受信部４が８００ＭＨｚ帯受信部６および８００ＭＨｚ帯送信部１０を使用して通信を行っていると判定した場合には、デジタルテレビジョン放送受信部１８の電源をＯＮに変更し、デジタルテレビジョン放送のチャンネルサーチを実施する（ステップＳ１０７）。また、ステップＳ１０５において、制御部１１は、アナログテレビジョン放送が視聴可能でないと判定した場合、アナログテレビジョン放送受信部２２の電源をＯＦＦに変更し、デジタルテレビジョン放送受信部１８の電源をＯＮに変更して、デジタルテレビジョン放送のチャンネルサーチを実施する（ステップＳ１０７）。
【００６３】
そして、制御部１１は、デジタルテレビジョン放送が視聴可能か否かを判定し（ステップＳ１０８）、デジタルテレビジョン放送が視聴可能であると判定した場合には、デジタルテレビジョン視聴モードに移行させる（ステップＳ１０９）。一方、制御部１１は、デジタルテレビジョン放送が視聴できると判定しなかった場合には、デジタルテレビジョン放送受信部１８の電源をＯＦＦに変更し、携帯電話モードに復帰させる。
【００６４】
次に、デジタルテレビジョン視聴モード中にデジタルテレビジョン放送の受信品質が劣化した場合の動作を図３に示すフローチャートを用いて説明する。
【００６５】
デジタルテレビジョン視聴モード（ステップＳ２０１）は、デジタルテレビジョン放送を視聴するモードであり、アナログテレビジョン放送受信部２２の電源はＯＦＦに設定されており、携帯電話機能は、待受け動作のみを行っている。この状態から、制御部１１は、デジタルテレビジョン放送の受信レベルに基づいてデジタルテレビジョン放送の視聴継続が可能であるか否かを判定する（ステップＳ２０２）。制御部１１は、例えば、復調部２１によって誤り訂正処理がされた後のデジタルベースバンド信号の受信データ誤り率が７０％以上であれば視聴継続が可能でないと判定するようになっている。
【００６６】
制御部１１は、デジタルテレビジョン放送の視聴継続が可能であると判定した場合、デジタルテレビジョン放送視聴モードに復帰させる。一方、制御部１１は、デジタルテレビジョン放送の視聴継続が可能でないと判定した場合には、携帯電話送受信部４が２ＧＨｚ帯受信部５および２ＧＨｚ帯送信部９と、８００ＭＨｚ帯受信部６および８００ＭＨｚ帯送信部１０のどちらを使用して通信を行っているかを判定する（ステップＳ２０３）。
【００６７】
制御部１１は、携帯電話送受信部４が２ＧＨｚ帯受信部５および２ＧＨｚ帯送信部９を使用して通信を行っていると判定した場合、アナログテレビジョン放送受信部２２の電源をＯＮに変更し、アナログテレビジョン放送のチャンネルサーチを実施し（ステップＳ２０４）、視聴中のデジタルテレビジョン放送と同内容の放送を行っているアナログテレビジョン放送のチャンネルを検出できるか否かを判定する（ステップＳ２０５）。制御部１１は、例えば、デジタルテレビジョン放送またはアナログテレビジョン放送に重畳されたＥＰＧ情報や、携帯電話のデータ通信機能により入手したＥＰＧ情報に基づいて、視聴中のデジタルテレビジョン放送と同内容の放送を行っているアナログテレビジョン放送のチャンネルを検出できるか否かを判定するようになっている。
【００６８】
制御部１１は、視聴中のデジタルテレビジョン放送と同内容の放送を行っているアナログテレビジョン放送のチャンネルを検出できた場合には、デジタルテレビジョン放送受信部１８の電源をＯＦＦに変更してアナログテレビジョン視聴モードに移行させる（ステップＳ２０６）。一方、制御部１１は、視聴中のデジタルテレビジョン放送と同内容の放送を行っているアナログテレビジョン放送のチャンネルが検出できなかった場合には、デジタルテレビジョン放送受信部１８およびアナログテレビジョン放送受信部２２の電源をＯＦＦに変更して携帯電話モードに移行させる（ステップＳ２０７）。
【００６９】
また、ステップＳ２０３において、制御部１１は、携帯電話送受信部４が８００ＭＨｚ帯受信部６および８００ＭＨｚ帯送信部１０を使用して通信を行っていると判定した場合、デジタルテレビジョン放送受信部１８の電源をＯＦＦに変更して携帯電話モードに移行させる（ステップＳ２０７）。
【００７０】
このような本発明の第１の実施の形態に係る携帯電話機１によれば、携帯電話送受信部４が８００ＭＨｚ帯を使用して通信を行っている場合には、アナログテレビジョン放送を受信しないようにできる。このため、携帯電話機１が通信を行っている場合に、テレビジョン放送の受信品質が劣化することによる使用者の不快感を低減することができる。
【００７１】
なお、アナログテレビジョン放送のＶＨＦ帯は８００ＭＨｚ帯からは周波数帯が離れているため、携帯電話機１の使用者がＶＨＦ帯のアナログテレビジョン放送を視聴しようとする場合には、携帯電話機１が通信を行っている時であっても、テレビジョン放送の受信品質が劣化しにくい。したがって、ステップＳ１０３において、制御部１１は、８００ＭＨｚ帯受信部６および８００ＭＨｚ帯送信部１０を使用して通信を行い、かつ、携帯電話機１の使用者がＵＨＦ帯のアナログテレビジョン放送を視聴しようとする場合には、ステップＳ１０７に移り、そうでない場合には、ステップＳ１０４に移るようになっていてもよい。
【００７２】
また、ステップＳ１０３において、制御部１１は、８００ＭＨｚ帯受信部６および８００ＭＨｚ帯送信部１０を使用して通信を行い、かつ、携帯電話機１の使用者がアナログテレビジョン放送のうちＵＨＦ帯の一部チャンネルの放送を視聴しようとする場合には、ステップＳ１０７に移り、そうでない場合には、ステップＳ１０４に移るようになっていてもよい。ここで、ＵＨＦ帯の一部チャンネルは、例えば、アナログテレビジョン放送のうちＵＨＦ帯の最も高い周波数を使用するチャンネルである。
【００７３】
また、ステップＳ２０５において、制御部１１は、視聴中のデジタルテレビジョン放送と別内容の放送を行っているアナログテレビジョン放送のチャンネルしか検出できない場合に、携帯電話機１の使用者によるキー入力部１４の操作により、別内容のアナログテレビジョン放送をその使用者に視聴させるために、アナログテレビジョン視聴モードに移行させる（ステップＳ２０６）ようになっていてもよい。制御部１１は、例えば、視聴中のデジタルテレビジョン放送と別内容の放送を行っているアナログテレビジョン放送のチャンネルしか検出できない場合に、アナログテレビジョン放送を視聴することができるチャンネルを表示部１３に表示させ、携帯電話機１の使用者がキー入力部１４を操作してチャンネルを選択できるようになっている。
【００７４】
（第２の実施の形態）
次に、本発明の第２の実施の形態に係る携帯電話機を図１に示す。
【００７５】
なお、本発明の第２の実施の形態に係る携帯電話機は、本発明の第１の実施の形態に係る携帯電話機と同様の構成であるため、その構成の説明を省略する。
【００７６】
以上のように構成された携帯電話機１について、携帯電話モードからアナログテレビジョン視聴モードへ切り替える場合の動作と、デジタルテレビジョン視聴モード中にデジタルテレビジョン放送の受信品質が劣化した場合の動作を説明する。
【００７７】
まず、携帯電話モードからアナログテレビジョン視聴モードへ切り替える場合の動作を図４に示すフローチャートを用いて説明する。
【００７８】
携帯電話モード（ステップＳ３０１）は、待受け、通話、データ通信といった携帯電話機能のみが動作しているモードであり、デジタルテレビジョン放送受信部１８およびアナログテレビジョン放送受信部２２の電源はＯＦＦに設定されている。この状態から、携帯電話機１の使用者がキー入力部１４の操作することによってアナログテレビジョン視聴モードが選択されると（ステップＳ３０２）、携帯電話送受信部４が２ＧＨｚ帯受信部５および２ＧＨｚ帯送信部９と、８００ＭＨｚ帯受信部６および８００ＭＨｚ帯送信部１０のどちらを使用して通信を行っているかを判定する（ステップＳ３０３）。
【００７９】
制御部１１は、携帯電話送受信部４が２ＧＨｚ帯受信部５および２ＧＨｚ帯送信部９を使用して通信を行っていると判定した場合、アナログテレビジョン放送受信部２２の電源をＯＮに変更してアナログテレビジョン放送のチャンネルサーチを実施し（ステップＳ３０４）、アナログテレビジョン放送が視聴可能であるか否かを判定する（ステップＳ３０５）。制御部１１は、アナログテレビジョン放送が視聴可能であると判定した場合には、アナログテレビジョン視聴モードに移行させる（ステップＳ３０６）。
【００８０】
一方、制御部１１は、携帯電話送受信部４が８００ＭＨｚ帯受信部６および８００ＭＨｚ帯送信部１０を使用して通信を行っていると判定した場合には、８００ＭＨｚ帯で通信時の送信出力値を確認し（ステップＳ３０７）、送信出力値が設定値以上であるか否かを判定する（ステップＳ３０８）。ここで、設定値は、例えば、事前にアナログテレビジョン放送の受信品質を劣化させない送信出力値を測定した値となっており、その値を０ｄＢｍとして設定されるようになっている。
【００８１】
制御部１１は、送信出力値が設定値未満であった場合、アナログテレビジョン放送受信部２２の電源をＯＮに変更してアナログテレビジョン放送のチャンネルサーチを実施する（ステップＳ３０４）。
【００８２】
制御部１１は、送信出力が設定値以上であった場合には、デジタルテレビジョン放送受信部１８の電源をＯＮに変更してデジタルテレビジョン放送のチャンネルサーチを実施する（ステップＳ３０９）。また、制御部１１は、ステップＳ３０５において、アナログテレビジョン放送が視聴可能でないと判定した場合に、アナログテレビジョン放送受信部２２の電源をＯＦＦに変更し、デジタルテレビジョン放送受信部１８の電源をＯＮに変更し、さらに、デジタルテレビジョン放送のチャンネルサーチを実施する（ステップＳ３０９）。
【００８３】
制御部１１は、デジタルテレビジョン放送が視聴可能であるか否かを判定し（ステップＳ３１０）、デジタルテレビジョン放送が視聴可能であると判定した場合には、デジタルテレビジョン視聴モードに移行させる（ステップＳ３１１）。一方、制御部１１は、デジタルテレビジョン放送が視聴可能でないと判定した場合には、デジタルテレビジョン放送受信部１８の電源をＯＦＦに変更し、携帯電話モードに復帰させる。
【００８４】
次に、デジタルテレビジョン視聴モード中にデジタルテレビジョン放送の受信品質が劣化した場合の動作を図５に示すフローチャートを用いて説明する。
【００８５】
デジタルテレビジョン視聴モード（ステップＳ４０１）は、デジタルテレビジョン放送を視聴するモードであり、アナログテレビジョン放送受信部２２の電源はＯＦＦに設定されており、携帯電話機能は、待受け動作のみを行っている。この状態から、制御部１１は、デジタルテレビジョン放送の受信レベルに基づいてデジタルテレビジョン放送の視聴継続が可能であるか否かを判定する（ステップＳ４０２）。
【００８６】
制御部１１は、デジタルテレビジョン放送の視聴継続が可能であると判定した場合、デジタルテレビジョン放送視聴モードに復帰させる。一方、制御部１１は、デジタルテレビジョン放送の視聴継続が可能でないと判定した場合には、携帯電話送受信部４が２ＧＨｚ帯受信部５および２ＧＨｚ帯送信部９と、８００ＭＨｚ帯受信部６および８００ＭＨｚ帯送信部１０のどちらを使用して通信を行っているかを判定する（ステップＳ４０３）。
【００８７】
制御部１１は、携帯電話送受信部４が２ＧＨｚ帯受信部５および２ＧＨｚ帯送信部９を使用して通信を行っていると判定した場合、アナログテレビジョン放送受信部２２の電源をＯＮに変更し、アナログテレビジョン放送のチャンネルサーチを実施し（ステップＳ４０４）、視聴中のデジタルテレビジョン放送と同内容の放送を行っているアナログテレビジョン放送のチャンネルを検出できるか否かを判定する（ステップＳ４０５）。
【００８８】
制御部１１は、視聴中のデジタルテレビジョン放送と同内容の放送を行っているアナログテレビジョン放送のチャンネルを検出できた場合に、デジタルテレビジョン放送受信部１８の電源をＯＦＦに変更してアナログテレビジョン視聴モードに移行させる（ステップＳ４０６）。
【００８９】
一方、ステップＳ４０３において、制御部１１は、携帯電話送受信部４が８００ＭＨｚ帯受信部６および８００ＭＨｚ帯送信部１０を使用して通信を行っていると判定した場合には、８００ＭＨｚ帯で通信時の送信出力値を確認し（ステップＳ４０７）、送信出力値が設定値以上であるか否かを判定する（ステップＳ４０８）。
【００９０】
制御部１１は、送信出力が設定値未満であった場合、アナログテレビジョン放送受信部２２の電源をＯＮに変更し、アナログテレビジョン放送のチャンネルサーチを実施する（ステップＳ４０４）。
【００９１】
制御部１１は、送信出力が設定値以上であった場合には、デジタルテレビジョン放送受信部１８の電源をＯＦＦに変更して携帯電話モードに移行させる（ステップＳ４０９）。
【００９２】
また、制御部１１は、視聴中のデジタルテレビジョン放送と同内容の放送を行っているアナログテレビジョン放送のチャンネルを検出できなかった場合には、デジタルテレビジョン放送受信部１８およびアナログテレビジョン放送受信部２２の電源をＯＦＦに変更して携帯電話モードに移行させる（ステップＳ４０９）。
【００９３】
このような本発明の第２の実施の形態に係る携帯電話機１によれば、携帯電話送受信部４が８００ＭＨｚ帯を使用して通信を行い、かつ、送信出力が設定値以上の場合には、アナログテレビジョン放送を受信しないようにできる。このため、携帯電話機１が通信を行っている場合に、テレビジョン放送の受信品質が劣化することによる使用者の不快感を低減することができる。さらに、アナログテレビジョン放送の視聴の機会を増やすことができる。
【００９４】
なお、アナログテレビジョン放送のＶＨＦ帯は８００ＭＨｚ帯からは周波数が離れているため、携帯電話機１の使用者がＶＨＦ帯のアナログテレビジョン放送を視聴しようとする場合には、携帯電話機１が通信を行っている時であっても、テレビジョン放送の受信品質が劣化しにくい。したがって、ステップＳ３０３において、制御部１１は、８００ＭＨｚ帯受信部６および８００ＭＨｚ帯送信部１０を使用して通信を行い、かつ、携帯電話機１の使用者がＵＨＦ帯のアナログテレビジョン放送を視聴しようとする場合には、ステップＳ３０７に移り、そうでない場合には、ステップＳ３０４に移るようになっていてもよい。
【００９５】
また、ステップＳ３０３において、制御部１１は、８００ＭＨｚ帯受信部６および８００ＭＨｚ帯送信部１０を使用して通信を行い、かつ、携帯電話機１の使用者がアナログテレビジョン放送のうちＵＨＦ帯の一部チャンネルの放送を視聴しようとする場合には、ステップＳ３０７に移り、そうでない場合には、ステップＳ３０４に移るようになっていてもよい。
【００９６】
また、ステップＳ４０５において、制御部１１は、視聴中のデジタルテレビジョン放送と別内容の放送を行っているアナログテレビジョン放送のチャンネルしか検出できない場合に、携帯電話機１の使用者によるキー入力部１４の操作により、別内容のアナログテレビジョン放送をその使用者に視聴させるために、アナログテレビジョン視聴モードに移行させる（ステップＳ４０６）ようになっていてもよい。制御部１１は、例えば、視聴中のデジタルテレビジョン放送と別内容の放送を行っているアナログテレビジョン放送のチャンネルしか検出できない場合に、アナログテレビジョン放送を視聴することができるチャンネルを表示部１３に表示させ、携帯電話機１の使用者がキー入力部１４を操作してチャンネルを選択できるようになっている。
【００９７】
（第３の実施の形態）
次に、本発明の第３の実施の形態に係る携帯電話機を図１に示す。
【００９８】
なお、本発明の第３の実施の形態に係る携帯電話機は、本発明の第１の実施の形態に係る携帯電話機と同様の構成であるため、その構成の説明を省略する。
【００９９】
以上のように構成された携帯電話機１において、アナログテレビジョン視聴モード中に携帯電話機が通信を行う２ＧＨｚ帯が圏外となった場合の動作を図６に示すフローチャートを用いて説明する。
【０１００】
アナログテレビジョン視聴モード（ステップＳ５０１）は、アナログテレビジョン放送を視聴するモードであり、デジタルテレビジョン放送受信部１８の電源はＯＦＦに設定されており、携帯電話機能は、２ＧＨｚ帯での待受け動作のみを行っている。この状態から、制御部１１は、携帯電話機１が通信を行う２ＧＨｚ帯の受信レベルに基づいて２ＧＨｚ帯が圏内か圏外かを判定する（ステップＳ５０２）。ここで、２ＧＨｚ帯が圏内か圏外かの判断に用いる受信レベルとして、例えば、受信電界強度、受信キャリア信号対ノイズレベル比、受信データ誤り率の何れか１つまたは複数の組み合わせが用いられる。制御部１１は、例えば、受信キャリア信号対ノイズレベル比が１５ｄＢ以下の場合に、２ＧＨｚ帯が圏外と判定するようになっている。
【０１０１】
制御部１１は、２ＧＨｚ帯が圏内の場合に、アナログテレビジョン視聴モードに復帰する。一方、制御部１１は、２ＧＨｚ帯が圏外の場合には、表示部１３に２ＧＨｚ帯で圏外になったこと、および８００ＭＨｚ帯を使用する場合にはアナログテレビジョン放送の受信品質が劣化する場合があることを表示させた上で、携帯電話機１の使用者にキー入力部１４の操作により８００ＭＨｚ帯を使用するか否かを選択させる（ステップＳ５０３）。
【０１０２】
制御部１１は、８００ＭＨｚ帯を使用する選択が行われたか否かを判定し（ステップＳ５０４）、８００ＭＨｚ帯を使用する選択が行われなかった場合、携帯電話機１が圏内に復帰するまで、２ＧＨｚ帯でのみバンドサーチを行うアナログテレビジョン視聴モードに移行させる（ステップＳ５０５）。
【０１０３】
制御部１１は、８００ＭＨｚ帯を使用する選択を行われた場合には、８００ＭＨｚ帯でのバンドサーチを実施し（ステップＳ５０６）、８００ＭＨｚ帯が圏内か圏外かを判定する（ステップＳ５０７）。制御部１１は、８００ＭＨｚ帯が圏外の場合には、携帯電話機１が圏内に復帰するまで、２ＧＨｚ帯と８００ＭＨｚ帯の両方でバンドサーチを行うアナログテレビジョン視聴モードに移行させる（ステップＳ５０８）。
【０１０４】
制御部１１は、８００ＭＨｚ帯が圏内の場合には、デジタルテレビジョン放送受信部１８の電源をＯＮに変更してデジタルテレビジョン放送のチャンネルサーチを実施し（ステップＳ５０９）、視聴中のアナログテレビジョン放送と同内容の放送を行っているデジタルテレビジョン放送のチャンネルを検出できるか否かを判定する（ステップＳ５１０）。
【０１０５】
制御部１１は、視聴中のアナログテレビジョン放送と同内容の放送を行っているデジタルテレビジョン放送のチャンネルを検出できた場合には、アナログテレビジョン放送受信部２２の電源をＯＦＦに変更してデジタルテレビジョン視聴モードに移行させる（ステップＳ５１１）。
【０１０６】
制御部１１は、視聴中のアナログテレビジョン放送と同内容の放送を行っているデジタルテレビジョン放送のチャンネルを検出できなかった場合には、デジタルテレビジョン放送受信部１８の電源をＯＦＦに変更して、８００ＭＨｚ帯での待受け動作を行うアナログテレビジョン視聴モードに移行させる（ステップＳ５１２）。
【０１０７】
このような本発明の第３の実施の形態に係る携帯電話機１によれば、アナログテレビジョン視聴モード中に２ＧＨｚ帯が圏外となった場合には、携帯電話機１の使用者にキー入力部１４の操作により８００ＭＨｚ帯を使用するか否かを選択させることができる。このため、携帯電話機１の使用者の判断によってアナログテレビジョンの受信品質と携帯電話の通信品質のどちらを重視するかを決定することができる。さらに、携帯電話機１の使用者によって携帯電話の８００ＭＨｚ帯を使用すると選択された時であっても、視聴中のアナログテレビジョン放送と同内容の放送がデジタルテレビジョン放送で行われている場合には、自動的にデジタルテレビジョン視聴モードに切り替えるため、携帯電話機１が通信を行っている場合に、テレビジョン放送の受信品質が劣化することを防止することができる。
【０１０８】
なお、アナログテレビジョン放送のＶＨＦ帯は８００ＭＨｚ帯からは周波数帯が離れているため、携帯電話機１の使用者がＶＨＦ帯のアナログテレビジョン放送を視聴しようとする場合には、携帯電話機１が通信を行っている時であっても、テレビジョン放送の受信品質が劣化しにくい。したがって、ステップＳ５０３において、制御部１１は、携帯電話機１の使用者がアナログテレビジョン放送のＵＨＦ帯を視聴している場合のみ、８００ＭＨｚ帯を使用するか否かを携帯電話機１の使用者に選択させるようになっていてもよい。ここで、制御部１１は、携帯電話機１の使用者がアナログテレビジョン放送のＵＨＦ帯以外を視聴している場合には、ステップＳ５０６に移るようになっている。
【０１０９】
また、ステップＳ５０３において、制御部１１は、携帯電話機１の使用者がアナログテレビジョン放送のうちＵＨＦ帯の一部チャンネルの放送を視聴している場合のみ、８００ＭＨｚ帯を使用するか否かを携帯電話機１の使用者に選択させるようになっていてもよい。ここで、制御部１１は、携帯電話機１の使用者がアナログテレビジョン放送のＵＨＦ帯の一部チャンネル以外の放送を視聴している場合には、ステップ５０６に移るようになっている。
【０１１０】
また、ステップＳ５０３において、携帯電話機１の使用者による事前の設定により８００ＭＨｚ帯を使用するか否かが選択されるようになっていてもよい。
【０１１１】
また、ステップＳ５１０において、視聴中のアナログテレビジョン放送と別内容の放送を行っているデジタルテレビジョン放送のチャンネルしか検出できない場合でも、携帯電話機１の使用者によるキー入力部１４の操作により、別内容のデジタルテレビジョン放送をその使用者に視聴させるために、デジタルテレビジョン視聴モードに移行させるようになっていてもよい。
【０１１２】
（第４の実施の形態）
次に、本発明の第４の実施の形態に係る携帯電話機を図１に示す。
【０１１３】
なお、本発明の第４の実施の形態に係る携帯電話機は、本発明の第１の実施の形態に係る携帯電話機と同様の構成であるため、その構成の説明を省略する。
【０１１４】
以上のように構成された携帯電話機において、アナログテレビジョン視聴モード中に携帯電話機の２ＧＨｚ帯が圏外となった場合の動作を図７に示すフローチャートを用いて説明する。
【０１１５】
アナログテレビジョン視聴モード（ステップＳ６０１）は、アナログテレビジョン放送を視聴するモードであり、デジタルテレビジョン放送受信部１８の電源はＯＦＦに設定されており、携帯電話機能は、２ＧＨｚ帯での待受け動作のみを行っている。この状態から、制御部１１は、２ＧＨｚ帯の受信レベルに基づいて２ＧＨｚ帯が圏内か圏外かを判定する（ステップＳ６０２）。
【０１１６】
制御部１１は、２ＧＨｚ帯が圏内の場合、アナログテレビジョン視聴モードに復帰する。一方、制御部１１は、２ＧＨｚ帯が圏外の場合には、デジタルテレビジョン放送受信部１８の電源をＯＮに変更してデジタルテレビジョン放送のチャンネルサーチを実施し（ステップＳ６０３）、視聴中のアナログテレビジョン放送チャンネルと同内容の放送を行っているデジタルテレビジョン放送のチャンネルを検出できるか否かを判定する（ステップＳ６０４）。
【０１１７】
制御部１１は、視聴中のアナログテレビジョン放送チャンネルと同内容の放送を行っているデジタルテレビジョン放送のチャンネルを検出できなかった場合、デジタルテレビジョン放送受信部１８の電源をＯＦＦに変更して、携帯電話機１が圏内に復帰するまで２ＧＨｚ帯でのみバンドサーチを行うアナログテレビジョン視聴モードに移行させる（ステップＳ６０５）。
【０１１８】
一方、制御部１１は、視聴中のアナログテレビジョン放送チャンネルと同内容の放送を行っているデジタルテレビジョン放送のチャンネルを検出できた場合には、アナログテレビジョン放送受信部２２の電源をＯＦＦに変更してデジタルテレビジョン視聴モードに移行させる（ステップＳ６０６）。そして、制御部１１は、８００ＭＨｚ帯でのバンドサーチを実施し（ステップＳ６０７）、８００ＭＨｚ帯が圏内か圏外かを判定する（ステップＳ６０８）。
【０１１９】
制御部１１は、８００ＭＨｚ帯が圏内の場合、８００ＭＨｚ帯での待受け動作を行うデジタルテレビジョン視聴モードに移行させる（ステップＳ６０９）。一方、制御部１１は、８００ＭＨｚ帯が圏外の場合には、携帯電話機１が圏内に復帰するまで、２ＧＨｚ帯と８００ＭＨｚ帯の両方でバンドサーチを行うデジタルテレビジョン視聴モードに移行させる（ステップＳ６１０）。
【０１２０】
このような本発明の第４の実施の形態に係る携帯電話機１によれば、アナログテレビジョン視聴モード中に２ＧＨｚ帯が圏外となった場合に、視聴中のアナログテレビジョン放送と同内容の放送がデジタルテレビジョン放送で行われている時には、自動的にデジタルテレビジョン視聴モードに切り替えてから８００ＭＨｚ帯でのバンドサーチを実施させることができる。このため、携帯電話機１が通信を行っている場合に、テレビジョン放送の受信品質が劣化することを防止することができる。さらに、携帯電話機１が圏外となる可能性を最小限に抑えることができる。
【０１２１】
なお、制御部１１は、ステップＳ６０２において、２ＧＨｚ帯が圏外の場合には、視聴中のアナログテレビジョン放送がＵＨＦ帯を使用する放送であるか否かを判定し、視聴中のアナログテレビジョン放送ＵＨＦ帯を使用する放送である場合にのみ、ステップＳ６０３に移るようになっていてもよい。制御部１１は、視聴中のアナログテレビジョン放送のＵＨＦ帯を使用する放送でない場合には、８００ＭＨｚ帯でのバンドサーチを実施し、８００ＭＨｚ帯が圏内か圏外かを判定する。そして、制御部１１は、８００ＭＨｚ帯が圏内の場合には、８００ＭＨｚ帯での待受け動作を行うアナログテレビジョン視聴モードに移行させる。一方、制御部１１は、８００ＭＨｚ帯が圏外の場合には、携帯電話機１が圏内に復帰するまで、２ＧＨｚ帯と８００ＭＨｚ帯の両方でバンドサーチを行うアナログテレビジョン視聴モードに移行させる。
【産業上の利用可能性】
【０１２２】
以上のように、本発明に係る携帯電話機は、携帯電話機が通信を行っている場合に、テレビジョン放送の受信品質が劣化することによる使用者の不快感を低減することができるという効果を有し、デジタルテレビジョン放送およびアナログテレビジョン放送受信機能を備え、２つ以上の周波数帯で通信を行う携帯電話機として有用である。
【図面の簡単な説明】
【０１２３】
【図１】本発明の第１〜４の実施の形態に係る携帯電話機のブロック図
【図２】本発明の第１の実施の形態に係る携帯電話機における携帯電話モードからアナログテレビジョン視聴モードに切り替える場合の動作を示すフローチャート
【図３】本発明の第１の実施の形態に係る携帯電話機におけるデジタルテレビジョン視聴モード中にデジタルテレビジョン放送の受信品質が劣化した場合の動作を示すフローチャート
【図４】本発明の第２の実施の形態に係る携帯電話機における携帯電話モードからアナログテレビジョン視聴モードに切り替える場合の動作を示すフローチャート
【図５】本発明の第２の実施の形態に係る携帯電話機におけるデジタルテレビジョン視聴モード中にデジタルテレビジョン放送の受信品質が劣化した場合の動作を示すフローチャート
【図６】本発明の第３の実施の形態に係る携帯電話機におけるアナログテレビジョン視聴モード中に２ＧＨｚ帯が圏外となった場合の動作を示すフローチャート
【図７】本発明の第４の実施の形態に係る携帯電話機におけるアナログテレビジョン視聴モード中に２ＧＨｚ帯が圏外となった場合の動作を示すフローチャート
【符号の説明】
【０１２４】
１  携帯電話機
２  アンテナ
３  共用器
４  携帯電話送受信部
５  ２ＧＨｚ帯受信部
６  ８００ＭＨｚ帯受信部
７  復調部
８  変調部
９  ２ＧＨｚ帯送信部
１０  ８００ＭＨｚ帯送信部
１１  制御部
１２  音声再生部
１３  表示部
１４  キー入力部
１５  音声入力部
１６  アンテナ
１７  分波器
１８  デジタルテレビジョン放送受信部
１９  受信部
２０  同期部
２１  復調部
２２  アナログテレビジョン放送受信部
２３  受信部
２４  復調部
【図１】
2007019736.tif 000003
【図２】
2007019736.tif 000004
【図３】
2007019736.tif 000005
【図４】
2007019736.tif 000006
【図５】
2007019736.tif 000007
【図６】
2007019736.tif 000008
【図７】
2007019736.tif 000009